(57)【要約】      （修正有）【課題】利用者にとって極めて使い勝手の良い手指洗浄装置を提供する。【解決手段】手指洗浄装置１は、前面側に開閉扉を備えると共に、内部空間を有するケーシング２と、ケーシングの内部に配置されるディスペンサ装置３とを備えており、ケーシングは、開閉扉から該開閉扉に対向する側壁に向けてのび、ケーシングの外側から利用者の手指が挿入可能な連通空間部を備えており、ディスペンサ装置は、洗浄用溶液を貯留する溶液タンク３１と、洗浄用溶液を吐出するディスペンサ本体３２と、溶液タンク及びディスペンサ本体を接続する接続管路３３とを備えており、ディスペンサ本体は、連通空間部内への手指の挿入を検出するセンサと、センサによる連通空間部内への手指の挿入の検出信号に基づいて、接続管路を介して溶液タンクから導かれた洗浄用溶液を連通空間部内に吐出するノズルとを備えている。【選択図】図３
0003228825.tif 000002
【実用新案登録請求の範囲】
【請求項１】
利用者の手指の洗浄を行う手指洗浄装置であって、
前面側に開閉扉を備えると共に、内部空間を有するケーシングと、
前記ケーシングの内部に配置されるディスペンサ装置とを備えており、
前記ケーシングは、前記開閉扉から該開閉扉に対向する側壁に向けてのび、前記ケーシングの外側から利用者の手指が挿入可能な連通空間部を備えており、
前記ディスペンサ装置は、洗浄用溶液を貯留する溶液タンクと、洗浄用溶液を吐出するディスペンサ本体と、前記溶液タンク及び前記ディスペンサ本体を接続する接続管路とを備えており、
前記ディスペンサ本体は、前記連通空間部内への手指の挿入を検出するセンサと、前記センサによる前記連通空間部内への手指の挿入の検出信号に基づいて、前記接続管路を介して前記溶液タンクから導かれた洗浄用溶液を前記連通空間部内に吐出するノズルとを備えていることを特徴とする手指洗浄装置。
【請求項２】
前記溶液タンクは、前記ケーシングの内部下方に配置されており、
前記ディスペンサ本体は、前記連通空間部の上方側に配置され、前記ノズルは、前記連通空間部の上方側から下方側に向けて洗浄用溶液を吐出することを特徴とする請求項１に記載の手指洗浄装置。
【請求項３】
前記ディスペンサ本体は、前記ケーシングの内部において、その設置位置を変更可能に構成される請求項１または２に記載の手指洗浄装置。
【請求項４】
前記連通空間部は、前記開閉扉に形成される第１開口部、前記ケーシングの内部空間、及び、前記側壁に形成される第２開口部によって構成されており、前記ケーシングの内側において少なくとも前記第２開口部の下側周縁部に接続され、閉じた状態の前記開閉扉側に向けて延設されるトレー部を備える請求項１から３のいずれかに記載の手指洗浄装置。
【考案の詳細な説明】
【技術分野】
【０００１】
本考案は、手指洗浄装置に関する。
【背景技術】
【０００２】
感染症対策として手指の洗浄や消毒が極めて効果的であることから、従来から様々なタイプの手指洗浄装置の開発がなされており、ショッピングセンター、スーパーマーケット、映画館、飲食店、ホテル、カラオケ、銀行、空港、駅、学校、会社、ゲームセンター、事務所、工場などの入り口（エントランス）等に設置されて使用されている。
【０００３】
しかしながら、従来から知られている手指洗浄装置は、必ずしも使い勝手の良いものではなく、まだまだ改良の余地があった。例えば、従来の手指洗浄装置を店舗等の入口に設置して利用者に手指の消毒を行ってもらうような場合、使用する利用者が手指洗浄装置の周囲に密集してしまい、手指の消毒を短時間で効率良く行うことが難しいという問題があり、このような手指洗浄装置の周りに人が密集することを効果的に抑制できるような手指洗浄装置の開発が望まれていた。
【考案の概要】
【考案が解決しようとする課題】
【０００４】
本考案は、このような問題を解決すべくなされたものであって、利用者にとって極めて使い勝手の良い手指洗浄装置を提供することを目的とする。
【課題を解決するための手段】
【０００５】
本考案の上記目的は、利用者の手指の洗浄を行う手指洗浄装置であって、前面側に開閉扉を備えると共に、内部空間を有するケーシングと、前記ケーシングの内部に配置されるディスペンサ装置とを備えており、前記ケーシングは、前記開閉扉から該開閉扉に対向する側壁に向けてのび、前記ケーシングの外側から利用者の手指が挿入可能な連通空間部を備えており、前記ディスペンサ装置は、洗浄用溶液を貯留する溶液タンクと、洗浄用溶液を吐出するディスペンサ本体と、前記溶液タンク及び前記ディスペンサ本体を接続する接続管路とを備えており、前記ディスペンサ本体は、前記連通空間部内への手指の挿入を検出するセンサと、前記センサによる前記連通空間部内への手指の挿入の検出信号に基づいて、前記接続管路を介して前記溶液タンクから導かれた洗浄用溶液を前記連通空間部内に吐出するノズルとを備えていることを特徴とする手指洗浄装置により達成される。
【０００６】
また、上記手指洗浄装置においては、前記溶液タンクは、前記ケーシングの内部下方に配置されており、前記ディスペンサ本体は、前記連通空間部の上方側に配置され、前記ノズルは、前記連通空間部の上方側から下方側に向けて洗浄用溶液を吐出可能に構成されること好ましい。
【０００７】
また、前記ディスペンサ本体は、前記ケーシングの内部において、その設置位置を変更可能に構成されることが好ましい。
【０００８】
また、前記連通空間部は、前記開閉扉に形成される第１開口部、前記ケーシングの内部空間、及び、前記側壁に形成される第２開口部によって構成されており、前記ケーシングの内側において少なくとも前記第２開口部の下側周縁部に接続され、閉じた状態の前記開閉扉側に向けて延設されるトレー部を備えることが好ましい。
【考案の効果】
【０００９】
本考案によれば、利用者にとって極めて使い勝手の良い手指洗浄装置を提供することができる。
【図面の簡単な説明】
【００１０】
【図１】本考案に係る手指洗浄装置の概略構成正面図である。
【図２】図１に示す手指洗浄装置の概略構成左側面図である。
【図３】図１に示す手指洗浄装置に関して、開閉扉を開いた状態を示す概略構成正面図である。
【図４】図１に示す手指洗浄装置が備えるケーシングに関して、開閉扉を開いた状態を示す概略構成正面図である。
【考案を実施するための形態】
【００１１】
以下、本考案に係る手指洗浄装置１について、添付図面を参照して説明する。なお、各図は、構成の理解を容易ならしめるために部分的に拡大・縮小している。図１は、本考案に係る手指洗浄装置１の概略構成正面図であり、図２は、その概略構成左側面図である。また、図３は、手指洗浄装置１が備える開閉扉２１を開いた状態を示す概略構成正面図であり、図４は、手指洗浄装置１が備えるケーシング２に関して、開閉扉２１を開いた状態を示す概略構成正面図である。
【００１２】
本考案に係る手指洗浄装置１は、利用者の手指の洗浄を行うための装置であって、図１〜図４に示すように、ケーシング２と、ディスペンサ装置３と備えている。この手指洗浄装置１は、ショッピングセンター、スーパーマーケット、映画館、飲食店、ホテル、カラオケ、銀行、空港、駅、学校、会社、ゲームセンター、事務所、工場などの施設の入り口（エントランス）等に設置され、手指のアルコール消毒やアルコール洗浄に供することができる。なお、設置される場所としては、各施設の入り口に限定されるものではなく、例えば、各施設の事務所やトイレ、炊事室等様々な場所に設置することができる。また、アルコールによる消毒や洗浄に限定されるものでもなく、例えば、石鹸水による手指の洗浄にも使用することができるものである。
【００１３】
ケーシング２は、前面側に開閉扉２１を備えると共に、内部空間を有するボックス状に形成されている。このケーシング２の下端には、平板状のベース部材２２が設けられている。ベース部材２２の裏面側（床に面する側の面）には、手指洗浄装置１の移動を容易とするために、図示しないキャスターが四隅に設けられている。キャスターは、ストッパー機能付きのものを採用することが好ましい。なお、このキャスターは、ベース部材２２に対して、着脱自在に取り付け可能に構成してもよい。また、ベース部材２２にキャスターを設けないようにして構成してもよい。また、開閉扉２１には鍵を設け、閉じた状態でロックされるように構成してもよい。
【００１４】
ケーシング２の内部下方には棚２３が設けられ、当該棚２３によってケーシング２の内部が上下複数エリアに区画されている。更に、ケーシング２は、閉じた状態の開閉扉２１から該開閉扉２１に対向する側壁２６に向けてのび、ケーシング２の外側から利用者の手指が挿入可能な連通空間部２４を備えている。より具体的には、開閉扉２１に形成される第１開口部２５、ケーシング２の内部空間、及び、閉じた状態の開閉扉２１に対向する側壁２６に形成される第２開口部２７によって連通空間部２４が構成されており、利用者は、第１開口部２５又は第２開口部２７を介して連通空間部２４に手指を挿入できるように構成されている。
【００１５】
また、ケーシング２は、その内側において少なくとも第２開口部２７の下側周縁部に接続され、閉じた状態の前記開閉扉２１側に向けて延設されるトレー部２８を備えるように構成されている。本実施形態においては、図３に示すように、ケーシング２の内側において、第２開口部２７の周囲を取り囲むような形態のトレー部２８が設けられており、トレー部２８は、連通空間部２４の内壁面の一部を構成する。このトレー部２８の上部分の一部には切欠部（又は開口部）が形成されており、後述するディスペンサ本体３２の一部分（ディスペンサ本体３２の下端部）が、当該切欠部（又は開口部）に収容されるように構成されている。
【００１６】
ディスペンサ装置３は、ケーシング２内部に配置される機器であり、手指消毒用アルコール、手指洗浄用アルコール、石鹸水等の洗浄用溶液を貯留する溶液タンク３１と、この洗浄用溶液をミスト状または液状、泡状に吐出するディスペンサ本体３２と、溶液タンク３１及びディスペンサ本体３２を接続する接続管路３３（接続チューブ）とを備えている。なお、接続管路３３は可撓性を有する材料から形成することが好ましい。
【００１７】
ディスペンサ本体３２は、連通空間部２４の上方側に配置されている。より具体的には、ケーシング２に形成される第２開口部２７の上方側に配置される固定手段２９を介してディスペンサ本体３２は、ケーシング２内において固定されている。このディスペンサ本体３２としては、上述のように洗浄用溶液をミスト状に噴霧できるように、あるいは、液状又は泡状に吐出可能に構成されており、電力によって駆動するように構成されている。ディスペンサ本体３２は、ノズル、ポンプ等を備えて構成されており、電力を駆動源とするポンプの機能により接続管路３３を介して溶液タンク３１から導かれた洗浄用溶液吐出する。吐出される洗浄用溶液は、一定量となるように構成されている。ノズルのノズル先端は、ディスペンサ本体３２の下端位置に配置されており、下方側に向けて洗浄用溶液をミスト状、液状等に吐出できるように構成されている。また、本実施形態においては、ディスペンサ本体３２の下端には、赤外線センサ等のセンサが設けられており、連通空間部２４内への手指の挿入を検出することができるように構成されている。つまり、センサが検出する連通空間部２４内への利用者の手指の挿入の検出信号に基づいて、ノズルが、接続管路３３を介して溶液タンク３１から導かれた洗浄用溶液を、連通空間部２４の上方側から下方側に向けて自動でミスト状等の状態として洗浄用溶液を吐出できるように構成されている。ここで、ディスペンサ本体３２は、ＡＣアダプターを介して供給される電力、及び、電池の電力によって駆動可能に構成されることが好ましいが、ＡＣアダプター駆動方式のみとして、或いは、電池駆動方式のみとしてディスペンサ本体３２を構成してもよい。
【００１８】
また、ディスペンサ本体３２は、ケーシング２の内部において、その設置位置を変更可能に構成される。具体的には、ケーシング２に形成される第２開口部２７の上方側に配置される固定手段２９と、当該固定手段２９に取り付けられるディスペンサ本体３２との位置関係を変更することにより、ディスペンサ本体３２の設置位置を変更できるように構成されている。
【００１９】
本考案に係る手指洗浄装置１は、上述のように、開閉扉２１から該開閉扉２１に対向する側壁２６に向けてのび、ケーシング２の外側から利用者の手指が挿入可能な連通空間部２４を備えるように構成されているため、利用者は、手指洗浄装置１に対して２方向から（第１開口部２５及び第２開口部２７の両方から）手指を挿入して手指の洗浄（消毒）を行うことができる。このように、２方向から手指の洗浄（消毒）を行うことができることにより、例えば、店舗や病院の入り口の中央部にアルコールを溶液タンク３１に貯留した手指洗浄装置１を配置したような場合に、店舗等に入る利用者は、手指洗浄装置１に対して右側を通行しながら開閉扉２１側から手指を挿入して洗浄（消毒）し、店舗等から出る利用者は、手指洗浄装置１に対して右側を通行しながら開閉扉２１に対向する側壁２６側から手指を挿入して洗浄（消毒）するというような人の流れを作り出すことが可能となり、店舗等での入り口エリアでの人の流れをスムーズにし、利用者にとって使い勝手の良いものとなる。なお、手指を挿入できる部分を一カ所のみ形成されるような場合であって、この手指を挿入できる部分が、例えば、店舗等側から外に向いているような場合には、店舗等から出る人は、手指を洗浄（消毒）する為に、手指洗浄装置を回り込んで手指を挿入することになる為、手指洗浄装置１の周囲（店舗等の入り口エリア）に人が密集してしまうことになってしまう。
【００２０】
また、本考案に係る手指洗浄装置１を構成するディスペンサ装置３においては、洗浄用溶液を貯留する溶液タンク３１が、ケーシング２の内部下方に配置されており、洗浄用溶液が導かれ該洗浄用溶液を吐出するディスペンサ本体３２が、連通空間部２４の上方側に配置されるように構成されている。つまり、ディスペンサ本体３２と溶液タンク３１とを切り離した状態となるように構成されている。このような構成により、洗浄用溶液を貯留する溶液タンク３１を大型化させることが可能となり、洗浄用溶液を補充するまでの期間、あるいは、溶液タンク３１を交換するまでの期間を長期化させることができ、手指洗浄装置１のメンテナンスや管理を行う管理者の負担を軽減させることが可能となる。また、溶液タンク３１をケーシング２の内部下方に配置することにより、手指洗浄装置１の安定性を高めることもでき、手指洗浄装置１が不慮に転倒することを効果的に防止することができる。
【００２１】
また、ケーシング２の内部下方には棚２３が設けられ、当該棚２３によってケーシング２の内部が上下複数エリアに区画されていることにより、予備の溶液タンク３１をケーシング２内部に収納することができるため、予備の溶液タンク３１を別途倉庫等において保管する必要もなくなり、手指洗浄装置１を管理する管理者の管理負担を減じ、また、溶液タンク３１の交換作業を容易化させることができる。
【００２２】
また、本考案に係る手指洗浄装置１は、ケーシング２の内部において、ディスペンサ本体３２の設置位置が変更可能に構成されているため、連通空間部２４に挿入される手指に対して最適な洗浄用溶液の吐出状況となる位置にディスペンサ本体３２を設置することが可能となる。また、連通空間部２４よりも上方位置となるようにノズルのノズル先端位置を設定して、連通空間部２４内に挿入される手指がノズル先端に触れてしまうことを効果的に防止するように設定することもでき、ノズルの清潔性を効果的に維持することも可能となる。
【符号の説明】
【００２３】
１  手指洗浄装置
２  ケーシング
２１  開閉扉
２２  ベース部材
２３  棚
２４  連通空間部
２５  第１開口部
２６  側壁
２７  第２開口部
２８  トレー部
２９  固定手段
３  ディスペンサ装置
３１  溶液タンク
３２  ディスペンサ本体
３３  接続管路
【図１】
0003228825.tif 000003
【図２】
0003228825.tif 000004
【図３】
0003228825.tif 000005
【図４】
0003228825.tif 000006